(57)【特許請求の範囲】
【請求項１】
墓の側面に前記墓を構成する石材内から引き出し可能な鞄掛けを備え、
前記鞄掛けは、前記石材内に嵌着される外管部材と、前記外管部材内において摺動可能に引き出される引っ張り棒と、を有する墓。
【請求項２】
さらに、前記鞄掛けは、前記引っ張り棒の一端に設けられる取手部材を有する請求項１に記載の墓。
【請求項３】
前記鞄掛けを備える前記石材は、天板である請求項１または２に記載の墓。
【請求項４】
前記鞄掛けは、墓の前面に引き出し可能である請求項１〜３のいずれか１項に記載の墓。
【請求項５】
前記鞄掛けは、ステンレスからなる請求項１〜４のいずれか１項に記載の墓。
【発明の詳細な説明】
【技術分野】
【０００１】
本発明は、鞄掛けを備える墓に関する。
【背景技術】
【０００２】
日本では、古くからの慣行として、お盆やお彼岸、命日に、墓参りが行われている。墓参りに訪れた人々は、通常、墓石や墓の周囲を掃除したり、線香をあげたり、献花をしたり、墓前で手を合わせて祈ったりするが、墓が屋外にあったり、また、墓が狭い敷地に設けられている場合、持参した鞄や花などの手荷物の置場に困る実状がある。
【０００３】
具体的に言えば、一般的に、墓９０は、図１０に示すように、遺骨を収容する納骨室（カロート）９２を台座とし、その上面に天板（スラブ）９３、上台石９４、棹石９５の墓石を載置する形態を有するが、天板（スラブ）９３の上面の手前側、すなわち、墓９０の正面側部分に花立て９６、蝋燭及び線香立て等９７、羽目石９８等が載置されるため、墓参りに訪れた人が持参した鞄等の置場がなかった。
【０００４】
このような実状を踏まえ、例えば、特許文献１には、墓の前面側に出し入れ可能なスライド石を納骨室９２と天板９３との間に設け、花や、お供え物、蝋燭を備えるための作業スペースを設けることができる墓が提案されている。
【先行技術文献】
【特許文献】
【０００５】
【特許文献１】特開２００７−１００４３９号公報
【発明の概要】
【発明が解決しようとする課題】
【０００６】
しかし、特許文献１の墓は、天板と納骨室との間が完全に切り離されていないため、すなわち、納骨室の密閉性が不十分なため、納骨室内への雨水の浸入を十分に防ぐことができなかった。納骨室へ雨水が侵入した場合、室内の湿度が上がり、骨壺の破損やカビの発生等の問題が生じてしまう。
また、スライド石は石材で形成されているため、その設置にコストがかかる上に、手間も非常にかかる。さらに、石材で形成されるスライド石は重たいため、出し入れ作業に大きな力を必要とする。そのため、スライド石を前後に平行移動させるガイドレールだけでなく、ボールベアリング等の部材も必要となる。
また、建立済みの既存の墓石に、このようなスライド石を、追加的に設置する場合、墓の形態を大きく変えなければならず、墓を大きく損傷させる可能性が高く、その設置は不可能に近い実状があった。
【０００７】
本発明の目的は、上記従来技術の問題点を解消し、墓参りに訪れた人が持参した鞄等の置場を確保することを目的とする。また、このような手荷物の置場を、手間をかけず、安価で墓に設けること、且つ既存の墓でも追加できることを目的とする。
【課題を解決するための手段】
【０００８】
上記目的を達成するために、本発明の墓は、墓の側面に墓を構成する石材内から引き出し可能な鞄掛けを備え、鞄掛けは、石材内に嵌着される外管部材と、外管部材内において摺動可能に引き出される引っ張り棒と、を有するものである。
【０００９】
ここで、鞄掛けは、引っ張り棒の一端に設けられる取手部材を有することが好ましい。
【００１０】
鞄掛けを備える石材は、天板であることが好ましい。
鞄掛けは、墓の前面に引き出し可能であることが好ましい。
鞄掛けは、ステンレスからなることが好ましい。
【発明の効果】
【００１１】
本発明に係る墓は、墓参りに訪れた人が、持参した鞄等の手荷物の置場に憂慮することなく、墓の周辺を掃除したり、墓前で手を合わせたりすることができる。
また、安価で、手間をかけることなく、墓参りに訪れた人の手荷物の置場を設けることができる。また、既存の墓でも、安価で、容易に、手荷物の置場を設けることができる。
【図面の簡単な説明】
【００１２】
【図１】本発明の第１の実施形態に係る鞄掛けを備える墓の斜視図である。
【図２】本発明の第１の実施形態に係る鞄掛けの構造及び動作を示すための断面図である。
【図３】本発明の第１の実施形態に係る鞄掛けが備え付けられるスラブ前（天板）の構造を示す図である。
【図４】本発明の第１の実施形態に係る鞄掛けの取手部材の斜視図である。
【図５】本発明の第２の実施形態に係る鞄掛けを備える墓の斜視図である。
【図６】本発明の第２の実施形態に係る鞄掛けの構造を示す断面図である。
【図７】本発明の第２の実施形態に係る鞄掛けが備え付けられるスラブ前（天板）の構造を示す図である。
【図８】本発明の第２の実施形態に係る鞄掛けの取手部材を示す斜視図である。
【図９】本発明の第３の実施形態に係る鞄掛けを備える角材を示す図である。
【図１０】従来の墓を示す斜視図である。
【発明を実施するための形態】
【００１３】
以下、本発明の鞄掛けを備える墓の一例を、図面を参照して詳細に説明する。
【００１４】
第１の実施形態
まず、本実施の形態に係る鞄掛けに係る墓の概要を説明する。
図１は、本発明の第１の実施の形態に係る墓１の概略構成を示す斜視図である。図１は、骨壺が収納される納骨室（カロート）２、納骨室２の上にスラブ前３ａと、スラブ後３ｂとからなる天板３と、天板３の上に順に載置される上台石４及び棹石５からなり、墓石（天板３）に鞄掛け６を備える墓１を示している。なお、周知のように、前記棹石５の前面には家名などの彫刻文字（図示を省略）が配されている。
【００１５】
前記墓石を構成する材料（石材）としては、例えば白御影石、黒御影石、花崗岩、閃緑岩、安山岩、斑れい岩、凝灰岩、結晶片石、玄武岩の他に大理石、砂岩、ガラス、ブロンズ等も用いられるが、空洞を形成しても割れにくく、また、傷がつきにくく、経済性が良い等の理由から、御影石、花崗岩、閃緑岩、安山岩、斑れい岩を用いるのが好ましい。
各石材の厚さは、墓の大きさに応じて適宜変更することが可能であるが、鞄掛け６を設置する天板３（スラブ前３ａ）の厚さは、空洞を形成しても割れやひびが入りにくい厚さであることが好ましい。具体的には、図３（Ｃ）に示すような、少なくとも４０ｍｍ以上の厚さＬ５を有することが好ましい。
【００１６】
本実施の形態に係る鞄掛け６は、墓１のスラブ前３ａに備え付けられる。鞄掛け６の構成及び機能について、図２〜４を参照して説明する。
図２（Ａ）〜（Ｃ）は、本実施の形態にかかる鞄掛け６の断面図である。
図３（Ａ）は、スラブ前３ａの斜視図を示すものであり、図３（Ｂ）は、上面図を示し、図３（Ｃ）は，側面図を示す。
【００１７】
図２に示すように、本実施の形態の鞄掛け６は、外管部材７と、外管部材７内で摺動自在に設けられる引っ張り棒部材８と、引っ張り棒部材８の一端に嵌着される取手部材９からなる。
外管部材７は、中空の円筒状の形態を有し、図３に示すスラブ前３ａに形成された空洞１０に嵌着されるものであり、また、引っ張り棒部材８の一端と当接して、引っ張り棒部材８が外管部材７から抜け出ることを防ぐストッパー１４を備える。
外管部材７をスラブ前３ａ内に形成された空洞１０内に接着する方法としては、公知の方法を用いることができるが、例えば、接着剤１３及び接着補強部材１１ａや１１ｂを用いて、空洞１０内に外管部材７を固定することができる。具体的に言えば、接着剤１３にはセラミックボンド及びクイックボンドやコーキングボンド、石材用弾力性接着剤、墓石用シーリング接着剤、石材用接着剤(対候、耐水)等を充填して外管部材７と空洞１０を接着する。このとき接着剤１３と接着補強部材１１ａや１１ｂを噛ませることで接着力をより強固にし、外管部材７のストッパー１４により引っ張り棒部材８への接着剤１３の侵食を防止する。
また、外管部材７の材料としては、ステンレスを使用する。ステンレスを用いれば、さびにくく、強度に優れた外管部材７を提供することができる。なお、外管部材７の材料は、所定の強度があれば、特に限定されず、例えば、プラスチック、セラミック、特殊加工を施した鋼材等を用いることができる。また、外管部材７の形状や幅径も、所定の強度があれば、特に限定されない。なお、十分な耐荷重量が得られる点から、２０５Ｎ／ｍｍ2以上の強度を有していることが好ましい。
【００１８】
引っ張り棒部材８は、外管部材７内で、前後方向に摺動自在の棒であり、その一端に外管部材７のストッパー１４と当接する当接部１５を有する。また、もう一方の端部には、取手部材９が備え付けられる。
引っ張り棒部材８は、ステンレスで形成される。ステンレスを用いることにより、引っ張り棒部材は、錆びにくく、強度に優れる。また、石材に比べステンレスは軽いため、扱いやすい等の効果も有する。なお、この材料は、所定の強度があれば、特に限定されず、例えば、プラスチック、セラミック、特殊加工を施した鋼材等を用いることができる。また、引っ張り棒部材８の形状や幅径も、所定の強度があれば、特に限定されない。なお、十分な耐荷重量が得られる点から、２０５Ｎ／ｍｍ2以上の強度を有していることが好ましい。
引っ張り棒部材８の形状は、荷物を載置することができれば、特に限定されない。
【００１９】
取手部材９は、図４に示すような円筒形状を有し、引っ張り棒部材８の一端に嵌着される。接着方法は、特に限定されず、公知の方法を用いることができるが、例えば、上述したような外管部材７と空洞１０との接着方法と同様の方法を使用することができる。なお、引っ張り棒部材８と取手部材９は一体化して形成することもできる。
取手部材９の幅は、特に限定されないが、図２（Ａ）及び（Ｃ）に示すように、空洞１０及び外管部材７の幅Ｌ１よりも広い幅Ｌ３を有することが好ましい。このように形成することにより、外管部材７の目隠しとなる。なお、更に、平板リング状の目隠し部材１６を外管部材７と取手部材９との間に位置する天板表面に配置すれば、外管部材７内への雨水や虫などの異物の侵入を防ぐことができ、外管部材７と空洞１０の接着に用いられている接着剤１３の劣化を抑制することができる。
取手部材９の材料も、外管部材７及び引っ張り棒部材８と同様の理由により、ステンレスで形成されるが、把持しやすく、所定の強度があれば、例えば、石材やプラスチック等を用いることもできる。外観の観点から言えば、他の石材や天板の材質に合わせた石材を用いることが好ましい。
【００２０】
次に、鞄掛け６の動作を図２（Ａ）及び（Ｂ）を参照して説明する。
図２（Ａ）は、引っ張り棒部材８が外管部材７に収納され、取手部材９のみが墓の外部に存在する初期状態を示す。また、図２（Ｂ）は、荷物を掛けるために、引っ張り棒部材８が外管部材７から引き出され、墓の外部に露出された状態を示す。
引っ張り棒部材８は、所定の長さＬ４引き出され、外管部材７のストッパー１４と、引っ張り部材８の当接部１５が当接したとき、その位置で係止するように支持される。
【００２１】
空洞１０は、図３（Ａ）に示すスラブ前３ａに形成された円管状の穴であり、幅Ｌ１及び奥行Ｌ２の長さは、空洞１０に収納される外管部材７及び引っ張り棒部材８の形態により変更することができる。
図３（Ｃ）に示すように、空洞１０は、スラブ前３ａの正面側、且つ、中央部を外した位置に設けられることが好ましい。このような位置に鞄掛け６を設ける方が、機能性の理由から好ましい。個人により鞄の持ち手は異なるので鞄掛け６の設置位置は左寄り右寄りのいずれでも構わない。
また、空洞１０の直径Ｌ１及び長さＬ２は、天板３に空洞１０を形成することにより、割れやひびが入りにくい大きさであれば、特に限定されず、墓の大きさに応じて適宜変更することができるものであるが、直径Ｌ１は３３〜３６ｍｍ、長さＬ２は２００〜２５０ｍｍであることが好ましい。このサイズであれば、一般的なサイズの墓における天板（一般的な天板の厚さ９０ｍｍ〜１８０ｍｍ）に割れ等を生じさせることなく、容易に空洞を形成することができる。
スラブ前３ａに空洞１０を形成する方法は、公知の方法を用いることができる。例えば、石材用穴掘機を使用しコアドリルにてボーリングする方法を用いることができる。なお、既存墓石に設置する場合には、ハンドドリルにて穴あけ加工するのが好ましい。墓石に割れが生じにくいからである。
【００２２】
上記実施の形態においては、鞄掛け６を天板３（スラブ前３ａ）に設けているが、これに限定されない。
上記実施の形態においては、鞄掛け６を墓の正面側に備えているが、これに限定されず、墓の側面、すなわち、墓の上下面を除く面に形成することができる。
上記実施の形態においては、鞄掛け６を天板３（スラブ前３ａ）に設けたが、墓の回りを囲う外柵や芝台、拝石、親柱、羽目、均、腰石、根石等に鞄掛け６を設けてもよい。
上記実施の形態においては、引っ張り棒部材８に引っ掛けるものを鞄としたが、鞄に限定されず、引っ張り棒部材８に引っ掛けることができるものであれば、特に限定されない。
【００２３】
上記実施の形態において、鞄掛け６を構成する全部材をステンレスで形成すれば、強度に優れた、具体的には、耐荷重６０ｋｇ以上、好ましくは、耐荷重１００Ｋｇ以上（静荷重）の鞄掛けを備える墓を提供することができる。
本実施の形態の墓によれば、石材中に鞄掛け６が設けられているため、納骨室へ雨水等の侵入を完全に防ぐことができる。
また、本実施の形態によれば、安価で容易に、鞄掛け６を墓に設けることができる。
【００２４】
第２の実施形態
図５は、本発明の第２の実施形態に係る鞄掛けを備える墓の斜視図である。
実施の形態１においては、鞄掛け６の取手部材９が墓の外部に露出していたが、実施の形態２においては、取手部材が墓の外部に露出しないように備え付けられている構成を示す。実施の形態２においては、鞄掛けを除く構造は実施の形態１と同様である。
【００２５】
次に、実施の形態２における鞄掛け５６を、図６〜８を参照して説明する。
図６は、実施の形態２にかかる鞄掛けの断面図であり、初期状態にある鞄掛け、すなわち、鞄掛けが墓の外部に露出していない状態を示すものである。
図７（Ａ）は、スラブ前３ａの斜視図を示すものであり、図７（Ｂ）は、上面図を示し、図７（Ｃ）は，側面図を示す。
図８は、本実施の形態の取手部材の形状を示す斜視図である。
【００２６】
図６に示すように、実施の形態２にかかる鞄掛け５６は、取手部材５９が墓の外部に露出しないように設けられているものである。
本実施の形態の鞄掛け５６は、取手部材５９の形状、及び、空洞７０の形状以外、実施の形態１と同じである。
【００２７】
本実施の形態に係る取手部材５９は、図６や図８に示すように、外径の大きさが異なる２つの円筒状の部材５９ａ及び５９ｂが一体的に形成されたものである。外径の大きな形状を有する部分を５９ａとし、外径が小さい形状を有する部分を５９ｂとする。このように、外径が小さい形状を有する部分５９ｂを有することで、墓石内にある取手部材５９を容易に把持し、外側に引っ張り棒部材８を引き出すことができる。
この取手部材５９ａ及び５９ｂは、石材で形成されるが、同じ材料でなく、それぞれ異なる材料で形成されてもよい。経済性の観点から見れば、プラスチックで形成されることが好ましく、強度の観点から見れば、ステンレスで形成されることが好ましく、外観の観点から見れば、墓石に合わせた石材で形成することが好ましい。
【００２８】
空洞７０の奥行の長さは、図６及び７に示すように、取手部材で覆われた部分を除く、初期状態の外管部材７と引っ張り棒部材８との長さＬ６に、取手部材の長さＬ７を加えた長さを有するように形成する。
また、空洞７０の幅は、図６及び７に示すように、外管部材７を覆う空洞７０の幅Ｌ８、取手部分５９ａを覆う空洞の幅Ｌ９及び取手部材５９ａを覆う空洞の幅Ｌ１０の順に広くなっている。このように、取手部分５９を覆う空洞７０の幅を段階的に大きくした形状にすることにより、取手部材５９を把持しやすくし、また、引っ張り棒部材８をスラブ前３ａから引き出し易くすることができる。
このように、取手部材５９も墓の石材内部に設けることにより、取手部材の浸食等も防ぐことができ、凹凸のない見栄えよい墓石を造形することができる。また、取手部材が天板前面より突出しない為、墓参人の引っ掛かりを防止できる。
【００２９】
第３の実施形態
上記２つの実施の形態においては、墓の天板に空洞を形成し、鞄掛けを備え付けるものであるが、同様に、既存の墓石に小さな円管状の空洞を精密に形成し、鞄掛けを設けることは、既存の墓石の強度等の理由から難しい場合がある。
そこで、本発明の第３の実施の形態では、形成が困難な円管状の空洞を設けるのではなく、図９（Ａ）または（Ｂ）に示すような鞄掛けを備える角材８０Ａまたは８０Ｂを単体で形成し、天板上面等墓石本体に接着する。
【００３０】
図９（Ａ）は、実施の形態１の取手部材９を有する鞄掛け６を備える角材８０Ａであり、図９（Ｂ）は、実施の形態２の取手部材５９を有する鞄掛け５６を備える角材８０Ｂを示すものである。
【００３１】
図９（Ａ）に示す角材８０Ａの幅（及び高さ）Ｌ１１及び長さＬ１２は、墓の大きさに応じて適宜変更するものであるが、幅Ｌ１１は９０〜１００ｍｍ程度、長さＬ１２は２４０〜３００ｍｍ程度であることが好ましい。このようなサイズの角材であれば、扱いやすく、また、容易に安価で形成することができるのに対し、このサイズより大きな角材になると、扱いにくく、コストや手間がかかってしまうからである。
また、図９（Ｂ）に示す角材８０Ｂの幅（及び高さ）Ｌ１３及び長さＬ１４も、墓の大きさに応じて適宜変更するものであるが、幅Ｌ１３は９０〜１００ｍｍ程度、長さＬ１４は３００〜３６０ｍｍ程度であることが好ましい。このようなサイズの角材であれば、扱いやすく、容易に形成することができ、安価で行えるのに対し、このサイズより大きな角材になると、扱いにくく、形成に手間がかかり、コストがかかってしまうからである。
【００３２】
角材（石材）内に鞄掛けを設ける方法は、実施の形態１及び２と同様の方法が用いられる。
角材８０Ａおよび８０Ｂを天板上に固定する方法としては、角材の前面Ｆと、墓の正面側の天板（スラブ前）３ａの前面とが揃うように角材を配置し、接着剤を用いて固定する方法が挙げられる。接着剤としては、セラミックボンド及びクイックボンドやコーキングボンド、石材用弾力性接着剤、墓石用シーリング接着剤、対候性や耐水性を備える石材用接着剤等を使用することができる。
また、安全性を高めるために、更にボルトで角材を天板に固定することが望ましい。ボルトは、角材部材８０Ａまたは８０Ｂの空洞１０または７０を避けるようにして、角材８０Ａまたは８０Ｂを天板に固定する。具体的には、角材８０Ａまたは８０Ｂの長手方向の両端部、または、短手方向の両端部をボルトでそれぞれ固定する。
天板上における角材の配置場所は、スラブ前３ａの正面側、且つ、中央部を外した位置に設けられることが好ましい。このような位置に鞄掛け６を設ける方が、機能性の理由から好ましい。個人により鞄の持ち手は異なるので鞄掛け６の設置位置は左寄り右寄りのいずれでも構わない。
【００３３】
本実施の形態によれば、石材に所定のサイズの空洞を精密に且つ容易に形成することができる。
本実施の形態によれば、建立済みであり、長い年月がたっている墓であっても、容易に、安価で、優れた強度を有する鞄掛けを石材に形成することができる。
【産業上の利用可能性】
【００３４】
以上詳述したように、本発明によれば、安価で、手間をかけずに、墓参りに訪れた人に手持ち鞄の置場を提供することができる。
【符号の説明】
【００３５】
１、５１、９０  墓
２、９２  納骨室（カロート）
３、９３  天板（スラブ）
４、９４  上台石
５、９５  棹石
６、５６  鞄掛け
７  外管部材
８  引っ張り棒部材
９、５９  取手部材
１０、７０  空洞
１１、１２  接着補強部材
１３  接着剤
１４  ストッパー
１５  当接部
１６  目隠し部材
８０  鞄掛けを備える角材
９６  花立
９７  香炉
９８  羽目石
【図１】
0006510372.tif 000002
【図２】
0006510372.tif 000003
【図３】
0006510372.tif 000004
【図４】
0006510372.tif 000005
【図５】
0006510372.tif 000006
【図６】
0006510372.tif 000007
【図７】
0006510372.tif 000008
【図８】
0006510372.tif 000009
【図９】
0006510372.tif 000010
【図１０】
0006510372.tif 000011